(57)【要約】      （修正有）【課題】  防犯装置に関し、特に、簡便で、不在宅時に訪問者に対してリアルタイムで、且つ、的確に対応が可能な防犯装置に関する。【解決手段】建物のユーザが外出時に携帯する情報携帯端末３は、インターネットへの接続が可能で、動画像の配信を受けることが可能な携帯電話とし、インターネットを介して制御装置７と接続可能である。制御装置は、外側のインタホン５との相互通話先を切り替える転送スイッチを有し、転送スイッチをＯＮにした時は、インターネットを介して情報携帯端末３に撮像装置の動画像を配信する。建物のユーザが在宅時には、表示装置に表示された動画像を表示装置で見ながら、内側のインタホン６の受話器で訪問者と応対する。【選択図】  図１
2006184978.tif 000002
【特許請求の範囲】
【請求項１】
マイクロホン及びスピーカを有し、建物若しくは部屋の外側及び内側にそれぞれ設置するとともに相互通話可能なインタホンにおいて、
インターネットを含むネットワークと、
このネットワークに接続可能な情報携帯端末と、
前記ネットワークに接続可能で、少なくとも前記建物若しくは部屋の外側及び内側にそれぞれ設置したインタホン間及び建物若しくは部屋の外側に設置されたインタホンと前記情報携帯端末との間の相互通話を制御し、前記建物若しくは部屋の外側に設置されたインタホンの相互通話の通話先の切り替えの制御を行う制御装置と、
この制御装置に設けられ、前記建物若しくは部屋の外側に設置されたインタホンの相互通話の通話先を切り替えるための転送スイッチとを備え、
前記制御装置に設けられた前記転送スイッチの指令により、前記ネットワークを介して、建物若しくは部屋の内側に設置されたインタホンの代わりに、前記情報携帯端末と建物若しくは部屋の外側に設置されたインタホンとの相互通話が可能であること
を特徴とする防犯装置。
【請求項２】
前記建物若しくは部屋の外側に設置されたインタホンは、さらに撮像装置を備え、
前記建物若しくは部屋の内側に設置されたインタホン及び前記情報携帯端末は、さらに前記撮像装置で撮像された画像を表示可能な表示部を備えたこと
を特徴とする請求項１に記載の防犯装置。
【請求項３】
前記撮像装置は、ＣＣＤカメラであること
を特徴とする請求項２に記載の防犯装置。
【請求項４】
前記撮像装置は、ＷＥＢカメラであること
を特徴とする請求項２に記載の防犯装置。
【請求項５】
前記情報携帯端末は、ＰＨＳであること
を特徴とする請求項１〜請求項４にそれぞれ記載の防犯装置。
【請求項６】
前記情報携帯端末は、携帯電話であること
を特徴とする請求項１〜請求項４にそれぞれ記載の防犯装置。
【請求項７】
前記情報携帯端末は、ＰＤＡ（Ｐｅｒｓｏｎａｌ  Ｄｉｇｉｔａｌ  Ａｓｓｉｓｔａｎｔ）であること
を特徴とする請求項１〜請求項４にそれぞれ記載の防犯装置。
【請求項８】
前記情報携帯端末は、コンピュータであること
を特徴とする請求項１〜請求項４にそれぞれ記載の防犯装置。
【発明の詳細な説明】
【技術分野】
【０００１】
この発明は、防犯装置に関し、特に、簡単な操作で、不在宅時においても在宅時と同等にリアルタイムの対応を訪問者に対して行うことが可能な防犯装置に関するものである。
【背景技術】
【０００２】
近年、治安の悪化に伴い、防犯の必要性がより高まってきている。図２は、従来の防犯装置を示すブロック図で、玄関ドアに設けられた撮像装置１０１と、撮像装置の画像を表示するテレビモニタ１０６と、撮像装置の画像を記憶する画像メモリ１０７と、玄関ドアの取手に設けられ、取手に人が触れたことを検出して接触検出信号を出力するタッチセンサ１０４と、玄関ドアの鍵に設けられ、鍵の施錠のときに施錠信号を出力するキースイッチ１０５と、画像メモリに記憶された画像を再生表示させるための指令信号を出力する操作部１０８と、予め設定した所定時間だけ撮像装置に駆動信号を出力させるタイマ１１０と、室内に設けられ、駆動信号を受けて点灯する照明器具１１１と、タッチセンサの接触検出信号とキースイッチの施錠信号に基づいてタイマによって設定された時間だけ撮像装置と照明器具に駆動信号を出力し、操作部の指令信号に基づいてテレビモニタに駆動信号を出力するよう制御する制御部１０９とを備えて構成されている。
【特許文献１】特開２０００−３０６１７１号公報
【発明の開示】
【発明が解決しようとする課題】
【０００３】
しかしながら、上記のような方式のものでは、不在宅時の対応は、単に訪問者を撮像し、照明器具を一定時間点灯させるだけの受動的で画一的な対応しかできず、悪意を持った訪問者にとっては不在であることを見破られやすいという問題点があった。また、悪意を待たない訪問者に対しても、対応できるのは撮像された画像を見てからなので、訪問者に対する対応は後手に回り、その場での的確な対応が出来ないという問題もあった。
【０００４】
本発明は、このような問題点を解決するためになされたものであり、簡便で、不在宅時に訪問者に対してリアルタイムで、且つ、的確に対応が可能な防犯装置を得ることを目的とする。
【課題を解決するための手段】
【０００５】
請求項１に係る発明は、マイクロホン及びスピーカを有し、建物若しくは部屋の外側及び内側にそれぞれ設置するとともに相互通話可能なインタホンにおいて、インターネットを含むネットワークと、このネットワークに接続可能な情報携帯端末と、ネットワークに接続可能で、少なくとも建物若しくは部屋の外側及び内側にそれぞれ設置したインタホン間及び建物若しくは部屋の外側に設置されたインタホンと情報携帯端末との間の相互通話を制御し、建物若しくは部屋の外側に設置されたインタホンの相互通話の通話先の切り替えの制御を行う制御装置と、この制御装置に設けられ、建物若しくは部屋の外側に設置されたインタホンの相互通話の通話先を切り替えるための転送スイッチとを備え、制御装置に設けられた転送スイッチの指令により、ネットワークを介して、建物若しくは部屋の内側に設置されたインタホンの代わりに、情報携帯端末と建物若しくは部屋の外側に設置されたインタホンとの相互通話が可能であることを特徴とする防犯装置である。
【０００６】
請求項２に係る発明は、請求項１に記載の発明において、さらに、建物若しくは部屋の外側に設置されたインタホンは、さらに撮像装置を備え、建物若しくは部屋の内側に設置されたインタホン及び情報携帯端末は、さらに撮像装置で撮像された画像を表示可能な表示部を備えたものである。
【０００７】
請求項３に係る発明は、請求項２に記載の発明において、さらに、撮像装置は、ＣＣＤカメラである。
【０００８】
請求項４に係る発明は、請求項２に記載の発明において、さらに、撮像装置は、ＷＥＢカメラである。
【０００９】
請求項５に係る発明は、請求項１〜請求項４にそれぞれ記載の発明において、さらに、情報携帯端末は、ＰＨＳである。
【００１０】
請求項６に係る発明は、請求項１〜請求項４にそれぞれ記載の発明において、さらに、情報携帯端末は、携帯電話である。
【００１１】
請求項７に係る発明は、請求項１〜請求項４にそれぞれ記載の発明において、さらに、情報携帯端末は、ＰＤＡ（Ｐｅｒｓｏｎａｌ  Ｄｉｇｉｔａｌ  Ａｓｓｉｓｔａｎｔ）である。
【００１２】
請求項８に係る発明は、請求項１〜請求項４にそれぞれ記載の発明において、さらに、情報携帯端末は、コンピュータである。
【発明の効果】
【００１３】
請求項１に係る発明は、上記のように構成したので、不在宅時に訪問者が訪ねてきた場合でも、建物若しくは部屋のユーザは予め制御装置に設けられた転送スイッチをＯＮにすることにより、情報携帯端末を介して建物若しくは部屋の外側に設置されたインタホンとの相互通話が可能であるので、外出先においても訪問者の応対をリアルタイムで、且つ、的確に対応することができる。また、ユーザが在宅しているかのように対応できるので、悪意を持った訪問者に対しても、不在宅であることを見破られにくい。
【００１４】
請求項２に係る発明は、請求項１に係る発明と同様な効果がある。さらに、ユーザは、撮像装置の画像により、訪問者が誰であるかを視覚でも確認できるので、訪問者に対しより的確な対応をとることが可能で、且つ、セキュリティの観点からも、より安全である。
【００１５】
請求項３〜請求項４に係る発明は、請求項１〜請求項２に係る発明と同様な効果がある。
【００１６】
請求項５〜請求項７に係る発明は、請求項１〜請求項２に係る発明と同様な効果がある。さらに、ユーザが外出時に情報携帯端末を携帯するのに便利である。
【００１７】
請求項８に係る発明は、請求項１〜請求項２に係る発明と同様な効果がある。さらに、ユーザは、訪問者のより明瞭な音声や、より鮮明な画像を取得でき、よりはっきりと訪問者が誰であるかを確認できる。
【発明を実施するための最良の形態】
【００１８】
建物若しくは部屋の外側に設置したインタホンは、撮像装置を有し、この撮像装置はｗｅｂカメラを使用する。建物若しくは部屋の内側に設置したインタホンは、ｗｅｂカメラで撮像した画像を表示するための表示部を備えている。ネットワークはインターネットであり、情報携帯端末としては、インターネットに接続可能で動画を受信可能な携帯電話を使用する。制御装置は、インターネットに接続可能なコンピュータを使用する。
【実施例１】
【００１９】
この発明の第１の実施例を、図１に基づいて詳細に説明する。
図１は、この発明の原理を示す模式図である。
【００２０】
図１において、防犯装置１は、大きく分けて、建物２のユーザが有する情報携帯端末３と、建物２内に設置されているインタホン本体４と、建物２の玄関扉の外側のすぐ脇に設置されている外側のインタホン５とから構成される。このインタホン本体４は、外側のインタホン５との相互通話が可能な内側のインタホン６と、インタホン５及びインタホン６間若しくはインタホン５及び情報携帯端末３間の相互通話やその通話先の切り替えを制御する制御装置７と、この通話先の切り替えを行うための転送スイッチ８とから構成されている。
【００２１】
外側のインタホン５は、呼び出しスイッチ（図示せず）とインタホン６等と相互通話するためのスピーカやマイクを備えており、その内部には建物２の訪問者を撮像するための撮像装置９が内蔵されている。内側のインタホン６は、さらに、外側のインタホン５と相互通話するための受話器（図示せず）と撮像装置９の動画像を表示可能な表示部１０とが設けられている。この実施例では、撮像装置９はｗｅｂカメラを使用し、制御装置７において撮像装置９で撮像した画像の画像圧縮が行われる。
【００２２】
制御装置７は、この実施例では、インタホン本体４に内蔵され組込型のコンピュータを使用しており、ネットワーク接続手段１１を介してネットワーク１２に接続される。この実施例では、ネットワーク接続手段１１は携帯電話を使用し（ネットワーク接続手段１１ａ）、ネットワーク１２は携帯電話網（ネットワーク１２ａ）である。制御装置７と情報携帯端末３とは、このネットワーク１２ａを介して接続されている。
【００２３】
情報携帯端末３として、この実施例の様に携帯電話を使用する場合や、ＰＨＳを使用する場合には、ネットワーク接続手段１１として固定電話等を使用することによって、固定電話網をネットワーク１２として利用することも可能である。
【００２４】
次に、作用動作について、図１に基づいて不在宅時、在宅時の順に説明する。
予め制御装置７には、不在宅時の転送先である情報携帯端末３の電話番号が設定されている。ここで、もし情報携帯端末３がコンピュータ等であれば、不在宅時の転送先は、情報携帯端末３のＵＲＬとなる。
【００２５】
まず、不在宅時の作用動作について、説明する。
ユーザは、外出する際に転送スイッチ８をＯＮにした後、外出する。
【００２６】
訪問者が外側のインタホン５の呼び出しスイッチを押すと、制御装置７は、撮像装置９に訪問者の撮像を開始させるとともに、ユーザの有する情報携帯端末３を呼び出す。撮像装置９で撮像した訪問者の動画像及びその音声は、制御装置７において画像圧縮が行われ、制御装置７はこの圧縮した動画像ファイルを情報携帯端末３へリアルタイムに配信する。
【００２７】
ユーザは、情報携帯端末３に配信されてきた訪問者の動画像やその音声を見聞きしながら、訪問者と相互通話することにより、リアルタイムに応対することができる。
【００２８】
次に、在宅時の作用動作について説明する。
ユーザが在宅時には、転送スイッチ８をＯＦＦにする。訪問者が外側のインタホン５の呼び出しスイッチを押すと、制御装置７は、撮像装置９に訪問者の撮像を開始させるとともに、内側のインタホン６を呼び出す。撮像装置９で撮像した訪問者の動画像及びその音声は、制御装置７において画像圧縮が行われ、制御装置７はこの圧縮した動画像ファイルを表示部１０へリアルタイムに配信する。
【００２９】
ユーザは、表示部１０に表示されている訪問者の動画像やその音声を見聞きしながら、内側のインタホン６の受話器を取って、同様に訪問者と相互通話することにより、リアルタイムに応対することができる。
【実施例２】
【００３０】
この発明の第２の実施例を図１に基づいて詳細に説明する。この発明の第２の実施例は、ネットワーク接続手段１１としてＡＤＳＬモデムを使用（ネットワーク接続手段１１ｂ）し、ネットワーク１２がインターネット（ネットワーク１２ｂ）である場合の実施例である。なお、第１の実施例と同一部分については同一名称、同一番号を付し、その説明を省略する。
【００３１】
制御装置７は、この実施例では、インタホン本体４に内蔵され、インターネットに接続可能な組込型のコンピュータを使用している。また、制御装置７は、実施例１と同様にネットワーク接続手段１１を介してネットワーク１２に接続され、制御装置７と情報携帯端末３とは、このネットワーク１２を介して接続されている。
【００３２】
この実施例では、動画像をリアルタイムで配信するので、ネットワーク接続手段１１として、高速の常時接続回線であるＡＤＳＬ（非対称デジタル加入者線）モデムを使用（ネットワーク接続手段１１ｂ）し、ネットワーク１２へ接続する方法としては、このＡＤＳＬを使用する方式を採用するが、光ファイバーを利用した同じく高速の常時接続回線であるＦＴＴＨ（ファイバ・ツウ・ザ・ホーム）を使用する方式でも良いし、無線ＬＡＮ（Ｌｏｃａｌ  Ａｒｅａ  Ｎｅｔｗｏｒｋ）を使用する方式でも良い。また、この無線ＬＡＮを使用する方式は、情報携帯端末３としてＰＤＡ（Ｐｅｒｓｏｎａｌ  Ｄｉｇｉｔａｌ  Ａｓｓｉｓｔａｎｔ）や、携帯可能なノートパソコンを使用し、ネットワークへ接続する際の接続方法として使用しても良い。
【００３３】
上記実施例の様な動画を情報携帯端末３に配信せず、音声のみを配信する場合、ネットワーク接続手段１１は、一般的なモデムを使用し、ダイアルアップ接続でネットワーク１２に接続しても良いし、Ｂｌｕｅｔｏｏｔｈや、Ｂｌｕｅｔｏｏｔｈを利用した無線ＬＡＮを使用してネットワーク１２に接続しても良い。また、このＢｌｕｅｔｏｏｔｈを使用する方式は、情報携帯端末３のネットワークへの接続方法として使用しても良い。
【００３４】
ネットワーク１２は、この実施例ではインターネット（ネットワーク１２ｂ）であるが、専用線で接続しても良いし、ＷＡＮ（Ｗｉｄｅ  Ａｒｅａ  Ｎｅｔｗｏｒｋ）等を利用しても良い。また、情報携帯端末３は、この実施例ではインターネットに接続可能で、動画配信を受けることも可能な携帯電話を使用しているが、同様の機能を有するＰＨＳやＰＤＡ、携帯可能なノートパソコンでも良く、さらには、ユーザの例えば勤務先で使用している固定式のコンピュータ等でも良い。
【００３５】
作用動作については、実施例１と同様であるので、その説明を省略する。
【００３６】
ここで、情報携帯端末３として携帯可能なノートパソコンや固定式のコンピュータを使用し、制御装置７としてはコンピュータを使用し、ネットワーク接続手段１１としてＡＤＳＬモデム等を使用し、ネットワーク１２へ接続する方法としてＡＤＳＬやＦＴＴＨを使用する方式を利用していれば、ＩＰ電話を利用することにより、外側のインタホン５と情報携帯端末３との間若しくは外側のインタホン５と内側のインタホン６との間の相互通話を実現するようにしても良い。
【００３７】
上記の実施例は、本発明を説明するためのもので、本発明を制限するものではない。比較的良い実施例を参照して詳細に説明を行ったものであり、本発明の精神及びその範囲を逸脱することなく行うことが出来る種々の修正、変更、置換は、本技術分野における当業者の当然とするところである。本発明の精神及びその範囲を逸脱することなく行うことが出来る種々の修正、変更、置換は、全て本発明の権利要求の範囲に含むべきである。
【産業上の利用可能性】
【００３８】
この発明による防犯装置は、複数箇所で相互通話可能なインタホンシステムとして利用可能である。また、この防犯装置は、在宅時も不在宅時もあたかも在宅しているように見せかけることが出来る防犯装置として利用可能である。特に、ドアホンとして、住宅や事務所に設置するのに有効である。
【図面の簡単な説明】
【００３９】
【図１】この発明の原理を示す模式図である。
【図２】従来の防犯装置を示すブロック図である。
【符号の説明】
【００４０】
１              防犯装置
３              情報携帯端末
５              外側のインタホン
６              内側のインタホン
７              制御装置
８              転送スイッチ
９              撮像装置
１０            表示部
１２ａ、１２ｂ  ネットワーク
【図１】
2006184978.tif 000003
【図２】
2006184978.tif 000004